(57)【要約】【課題】一方の画像が黒帯を含む画像である場合に他方の画像への視認性の低下を抑制することができるマルチビュー表示機能をもつ表示装置を提供することである。【解決手段】共通の表示部に形成されて第１及び第２の視野からそれぞれ視認できる第１及び第２の画面と、第１及び第２の画面に第１及び第２の画像をそれぞれ表示させる表示制御部１０と、前記第１及び第２の画像の少なくとも一方の画質を調整する画質調整部３０と、を有し、前記第１及び第２の画面の少なくとも一方の画面の所定の領域が黒帯状に表示されている場合に、画質調整部３０は、前記黒帯領域の輝度を上げる。【選択図】図６
2008040051.tif 000002
【特許請求の範囲】
【請求項１】
共通の表示部に形成されて第１及び第２の視野からそれぞれ視認できる第１及び第２の画面と、前記第１及び第２の画面に第１及び第２の画像をそれぞれ表示させる表示制御手段と、前記第１及び第２の画像の少なくとも一方の画質を調整する画質調整手段と、を有し、
前記第１及び第２の画面の少なくとも一方の画面の所定の領域が黒帯状に表示されている場合に、前記画質調整手段は、前記黒帯領域の輝度を上げる、ことを特徴とする表示装置。
【請求項２】
前記第１及び第２の画像の少なくとも一方の画像の前記黒帯領域を検出する検出手段を備え、
前記検出手段により黒帯領域が検出された場合に、前記画質調整手段は、前記黒帯領域の輝度を上げる、ことを特徴とする請求項１に記載の表示装置。
【請求項３】
前記画質調整手段は、他方の画面の輝度に応じた輝度に上げる、ことを特徴とする請求項１に記載の表示装置。
【発明の詳細な説明】
【技術分野】
【０００１】
本発明は、いわゆるマルチビュー機能をもつ表示装置に関する。
【背景技術】
【０００２】
共通の（単一の）表示画面上で異なる方向からそれぞれ異なる画像を視認できる、いわゆるマルチビューディスプレイとしては、例えば、液晶パネルの前に視差バリアを設け、１ピクセルごとにバックライトからの光の進行方向を振り分けることで、左右において異なる情報（画像）を表示できるものが知られている（例えば、特許文献１等参照）。このような表示装置を車両に搭載することにより、運転者が運転席側画面でナビゲーション画像を観ている間に助手席の搭乗者が助手席側画面でテレビ、ＤＶＤ等の他の映像を観ることが可能となる。
【特許文献１】特開２００５−７８０８０号公報
【発明の開示】
【発明が解決しようとする課題】
【０００３】
ところで、上記の表示装置では、一方の画面に表示された映像が他方の画面に映り込む状態が発生する場合がある。特に、一方の画像がＤＶＤ画像のような、黒帯が上下に表示される画像である場合に、他方の画像に黒帯が映り込む現象が発生する場合がある。このような映り込みの現象により、例えば、助手席側のＤＶＤ画像による黒帯が運転手側のナビゲーション画像に映り込み、運転手がナビゲーション画像を視認しづらくなるおそれがある。
【０００４】
本発明は、上記の事情に鑑みて成されたものであり、その目的とするところは、一方の画像が黒帯を含む画像である場合に他方の画像への視認性の低下を抑制することができるマルチビュー表示機能をもつ表示装置を提供することである。
【課題を解決するための手段】
【０００５】
上記目的は、共通の表示部に形成されて第１及び第２の視野からそれぞれ視認できる第１及び第２の画面と、前記第１及び第２の画面に第１及び第２の画像をそれぞれ表示させる表示制御手段と、前記第１及び第２の画像の少なくとも一方の画質を調整する画質調整手段と、を有し、前記第１及び第２の画面の少なくとも一方の画面の所定の領域が黒帯状に表示されている場合に、前記画質調整手段は、前記黒帯領域の輝度を上げる表示装置によって達成できる。
この構成により、黒帯領域の輝度が上がるので、一方の画像が黒帯領域を含む画像の場合であっても他方の画像への視認性の低下を抑制することができる。
【０００６】
また、前記第１及び第２の画像の少なくとも一方の画像の前記黒帯領域を検出する検出手段を備え、前記検出手段により黒帯領域が検出された場合に、前記画質調整手段は、前記黒帯領域の輝度を上げる、構成を採用できる。
この構成により、輝度調整の対象となる黒帯領域を検出することができる。
【０００７】
前記画質調整手段は、他方の画面の輝度に応じた輝度に上げる、構成を採用できる。
この構成により、他方の画像の視認性の低下を抑制することができる。
【発明の効果】
【０００８】
本発明によれば、一方の画像が黒帯を含む画像である場合に他方の画像への視認性の低下を抑制することができるマルチビュー表示機能をもつ表示装置を提供することである。
【発明を実施するための最良の形態】
【０００９】
以下、本発明の最良の実施形態について、添付図面を参照しつつ説明する。
図１は本発明の一実施形態に係る車両用マルチビュー表示装置の基本構成を説明するための図である。
この車載用表示装置は、図１に示すように、表示制御手段としての表示制御部１０、表示部１００等から構成されている。
表示制御部１０は、第１の画像ソース３００Ａから画像データＤＴ１が供給されると共に第２の画像ソース３００Ｂから画像データＤＴ２が供給されて、これら第１及び第２の画像データＤＴ１，ＤＴ２からなる画像データＡＤＴを共通の表示部１００へ出力する。尚、表示制御部１０の具体的な構成については後述する。また、第１及び第２の画像ソース３００Ａ,３００Ｂは、例えば、アナログテレビチューナ、デジタルテレビチューナ、ＤＶＤ再生部等からなる映像信号ソース２５０、地図情報を記憶しているＨＤＤ（ハードディスクドライブ）５０等から構成される。
【００１０】
表示部１００は、後述するように、液晶パネル、バックライト、視差バリア等から構成されており、第１の画像データＤＴ１に基づく第１の画像ＩＭ１を右方向（運転席（以下、Ｄ席ともいう）側）の視野から観察者ＯＢＲが視認できる運転席画面（Ｄ席画面）と、第２の画像データＤＴ２に基づく第２の画像ＩＭ２を左方向（助手席（以下、Ｐ席ともいう）側）の視野から観察者ＯＢＬが視認できる助手席画面（Ｐ席画面）とを備えている。尚、表示部１００の具体的な構成については後述する。
【００１１】
図２は車両に搭載された車載用表示装置を示す図、及び、図３は表示部の構造を示す断面図である。
車載用表示装置の表示部１００は、図２に示すように、例えば、車両のダッシュボード部分に内蔵されると共に、表示部１００は、図２に示すように運転席ＤＳと助手席ＡＳとの間に配置される。
また、表示部１００の下側には、図２に示すように、各種操作のための複数の操作ボタンを備える操作パネル１５０等が設けられている。
運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された第１の画像ＩＭ１及び第２の画像ＩＭ２を同時に観ることができる。
【００１２】
表示部１００は、図３に示すように、液晶パネル１１０、液晶パネル１１０の背面側から照明光を当てるバックライト１２０、液晶パネル１１０の前面側に設けられる図示しない後述するタッチパネル１３０等から構成されている。
【００１３】
液晶パネル１１０は、図３に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。
この液晶パネル１１０は、例えば、水平方向に８００画素、垂直方向に４８０画素が配列された表示画面を有すると共に、この表示画面には、水平方向において左側表示用画素１１８と右側表示用画素１１９とが交互に配列されて構成されている。
【００１４】
視差バリア１１５は、図３に示すように、ストライプ状に形成されて遮蔽部と透光部を有し、その遮蔽部は隣り合う左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図３に示すように、液晶パネル１１０の右側（運転席側）からは第１の画像ＩＭ１が視認でき、左側（助手席側）からは第２の画像ＩＭ２が視認できるようになっている。
尚、視差バリア１１５は、特開平１０−１２３４６１号公報や特開平１１−８４１３１号公報等に開示されているものと同様のものを使用できる。
【００１５】
ここで、図４は車載用表示装置の機能ブロック図、図５は画像処理回路の機能ブロック図である。
表示制御部１０は、図４に示すように、プロセッサ（ＣＰＵ）１１、ＲＡＭ（ランダムアクセスメモリ）１２、ＲＯＭ（リードオンリーメモリ）１３、描画回路２０、画像処理回路３０、映像選択回路４０等から構成される。
【００１６】
表示制御部１０は、第１の画像ＩＭ１及び第２の画像ＩＭ２の少なくとも一方が、後述する黒帯を含む画像を表示する場合に、画像処理回路３０に、黒帯の輝度を調整させる。詳しくは後述する。
【００１７】
プロセッサ１１は、バスＢＵＳを介してＲＡＭ１２、ＲＯＭ１３、描画回路２０等と各種データを授受可能に接続されていると共に、画像処理回路３０、映像選択回路４０、ＨＤＤ５０、音声処理回路８０、タッチパネル１３０、操作パネル１５０とも接続されており、ＲＯＭ１３に記憶されたプログラムを実行することにより、装置全体を総合的に制御する。
ＲＡＭ１２は、プロセッサ１１による制御に必要な各種データ等を記憶する。
【００１８】
描画回路２０は、バスＢＵＳを通じてプロセッサ１１から描画パラメータを受けて描画画像データＲＧＢを形成し、これを画像処理回路３０へ出力する。具体的には、描画回路２０は、ナビゲーション画像（地図、メニュー画像等）、アナログテレビ、デジタルテレビ、ＤＶＤなどのオーディオ設定画像等の画像を描画する。
【００１９】
ＴＶ受信部２５２は、テレビ信号を受信して、ＮＴＳＣ信号を映像選択回路４０に出力する。
【００２０】
映像選択回路４０は、ＤＶＤ再生部２５１、ＴＶ受信部２５２等から供給される各種映像信号データから、プロセッサ１１からの選択信号ＳＥＬを受けて一の映像信号データＣＭＰを選択し、これを画像処理回路３０へ出力する。尚、ＴＶ受信部２５２から映像信号データが供給される場合は、映像信号データＣＭＰとして、ＮＴＳＣ信号が画像処理回路３０へ出力される。
尚、プロセッサ１１は、操作パネル１５０、タッチパネル１３０等からの信号に応じて選択信号ＳＥＬを生成する。
【００２１】
画像処理回路３０は、第１の画像ＩＭ１及び第２の画像ＩＭ２の少なくとも一方の画質を調整する。具体的には、画像処理回路３０は、図５に示すように、映像信号画質調整部３１、描画画像画質調整部３２、黒帯検出回路３８０、ＴＦＴタイミング制御回路３６０等から構成される。
【００２２】
映像信号画質調整部３１は、Ａ／Ｄ変換回路３０１Ａ、コントラスト調整回路３０２Ａ、輝度調整回路３０３Ａ、色調調整回路３０４Ａ、ガンマ値調整回路３０５Ａ、拡縮回路３０６Ａ等から構成される。
【００２３】
Ａ／Ｄ変換回路３０１Ａは、アナログ信号からなる映像信号データＣＭＰをデジタル信号に変換してコントラスト調整回路３０２Ａに送る。
コントラスト調整回路３０２Ａ、輝度調整回路３０３Ａ、色調調整回路３０４Ａ、ガンマ値調整回路３０５Ａは、プロセッサ１１からの制御指令に応じて、第１の画像データの画質（コントラスト、輝度、色調、ガンマ値）を調整する。
【００２４】
拡縮回路３０６Ａは、映像信号データＣＭＰに対して水平・垂直方向に任意の倍率で拡大又は縮小処理を施し、ＴＦＴタイミング制御回路に出力する。尚、拡縮回路３０６Ａは、プロセッサ１１からの制御信号により制御される。
【００２５】
描画画像画質調整部３２についても、映像信号画質調整部３１と同様に、Ａ／Ｄ変換回路３０１Ｂ、コントラスト調整回路３０２Ｂ、輝度調整回路３０３Ｂ、色調調整回路３０４Ｂ、ガンマ値調整回路３０５Ｂ、拡縮回路３０６Ｂ等から構成される。
【００２６】
黒帯検出回路３８０は、拡縮回路３０６Ａ、３０６Ｂとからの映像信号に基づいて、黒帯を含む画像であるかどうかを検出する。検出方法については後述する。
【００２７】
図５において、ＴＦＴタイミング制御回路３６０は、拡縮回路３０６Ａ、３０６Ｂから得られるデータに基づいて、液晶パネル１１０の液晶駆動回路（ＴＦＴ）用の制御信号を生成し、液晶パネル１１０へ出力する。
【００２８】
ＨＤＤ５０は、地図情報、音声情報等を記憶しており、これらの情報がプロセッサ１１により読み出され、地図情報はプロセッサ１１により描画パラメータとして描画回路２０に出力される。
音声処理回路８０は、プロセッサ１１からの音声データを再生してスピーカＳＰから出力させる。
【００２９】
タッチパネル１３０は、透明なシート状に形成されて上記した液晶パネル１１０の前面に貼着され、液晶パネル１１０の画面に表示された操作ボタン等を運転席や助手席の搭乗者が操作するときに、搭乗者の指等が触れる位置を検出してプロセッサ１１へ出力する。
【００３０】
次に、表示制御部１０による液晶パネル１１０のＤ席画面及びＰ席画面への画像の表示例について図６を参照して説明する。
図６（ａ）は、Ｄ席画面に描画画像としてのナビゲーション画像を表示し、これと同時に、Ｐ席画面にテレビの映像を表示させた状態を示している。
表示制御部１０は、図６（ａ）に示す表示をする場合には、Ｄ席画面については、ＨＤＤ５０からの地図情報と共に操作ボタンの描画パラメータを描画回路２０に与えて描画させ、ＲＧＢデータとしてＤ席画面用として出力表示させる。
一方、Ｐ席画面については、映像選択回路４０においてテレビを映像信号データＣＭＰとして選択し、これを画像処理回路３０においてＲＧＢデータに変換したのち、ＴＦＴタイミング制御回路３６０へ出力し、Ｐ席画面用として出力表示させる。
【００３１】
図６（ａ）に示すように、Ｐ席画面に表示されているテレビ画像は、標準画モードが選択された場合の表示状態である。標準画モードで表示されている場合には、Ｐ席画面の両側部の領域は黒帯状に表示される。
尚、標準画モードの場合には、アスペクト比が縦３：横４に表示され、ワイド画モードの場合には、縦９：横１６に表示される。ユーザは操作パネル１５０を操作することにより、表示されるテレビ画像を、標準画モード又はワイド画モードに切り替えることができる。
図６（ａ）に示すように、標準画モードが選択されている場合には、Ｐ席画面に黒帯が表示され、Ｄ席画面の黒帯に対応する領域に黒帯が映り込む。これは、黒帯の輝度と、Ｄ席画面の黒帯に対応する領域の輝度との差によりＤ席画面に黒帯が映り込む。
このように、一方の画像が黒帯を含む画像である場合に、黒帯が他方の画面に映り込み、Ｐ席画面に表示される画像への視認性が悪化する。
【００３２】
また、図６（ｂ）は、Ｄ席画面に描画画像としての地図画像を表示し、これと同時に、Ｐ席画面にＤＶＤの映像を表示させた状態を示している。
Ｐ席画面にＤＶＤの映像が表示されている場合には、Ｐ席画面の上下の領域に黒帯が表示される。この場合についても、Ｄ席画面に黒帯が映り込む。
【００３３】
次に、表示制御部による黒帯の映り込み低減処理の一例について説明する。図７は、表示制御部による映り込み低減処理の一例を示したフローチャート図である。尚、この処理は車載用表示装置に電源が投入されている間は一定周期で実行される。
プロセッサ１１は、ユーザの選択によりＤ席画面及びＰ席画面にそれぞれ異なる画像が表示されるデュアル表示モードが選択されたかどうかを判定する（ステップＳ１）。
デュアル表示モードが選択されていない場合、この処理を終了する。
【００３４】
デュアル表示モードが選択された場合には、プロセッサ１１は、Ｄ席画面又はＰ席画面の何れか一方に表示される画像が、標準画モードが選択されたテレビ画像又はＤＶＤ画像であるかどうかを判定する（ステップＳ２）。
Ｄ席画面又はＰ席画面の何れか一方に表示される画像が、標準画モードが選択されたテレビ画像ではない場合又はＤＶＤ画像ではない場合には、この処理を終了する。
【００３５】
Ｄ席画面又はＰ席画面の何れか一方に表示される画像が、標準画モードが選択されたテレビ画像又はＤＶＤ画像の場合には、プロセッサ１１は、黒帯検出回路３８０に指令を出して、テレビ画像又はＤＶＤ画像から、黒帯が表示されている箇所を検出させる（ステップＳ３）。具体的には、黒帯検出回路３８０は、テレビ画像又はＤＶＤ画像から、輝度が所定の閾値よりも低い箇所を検出し、検出された箇所の輝度が所定期間変化しないかどうかに基づいて、黒帯を検出する。
このように、黒帯検出回路３８０は、Ｄ席画面又はＰ席画面を供給する供給源に応じて、又はＤ席画面又はＰ席画面のアスペクト比に応じて、黒帯が表示されている箇所を検出する。
【００３６】
次に、プロセッサ１１は、黒帯検出回路３８０からの検出結果に基づいて、輝度調整回路３０３Ａ又は３０３Ｂに指令を出して、黒帯の輝度調整を行う（ステップＳ４）。具体的には、黒帯が表示されている領域の輝度を上げる処理を行う。これにより、黒帯が黒く表示されていた状態から、灰色に表示される。
【００３７】
図８は、黒帯の輝度が調整された後の、表示制御部１０による液晶パネル１１０のＤ席画面及びＰ席画面への画像の表示例を示した図である。
図８に示すように、黒帯が表示されている領域が灰色に表示され、Ｄ席画面への黒帯の映り込みが低減される。これにより、Ｄ席画面に表示される画像への視認性の低下を抑制できる。
【００３８】
次に、プロセッサ１１は、モードが変更されたかどうかを判定する（ステップＳ５）。モードが変更されていない場合には、この処理を終了する。
モードが変更された場合には、プロセッサ１１は黒帯の輝度調整を解除する（ステップＳ６）。
例えば、デュアル表示モードからシングル表示モードに変更された場合や、標準がモードからワイドモードに変更された場合、ＤＶＤモードからナビモードに変更された場合には、プロセッサ１１は、前述した輝度調整を解除する。
【００３９】
次に、黒帯検出回路３８０が実行する、黒帯が表示される箇所を検出する方法について説明する。
図９は、黒帯が表示される箇所を検出する方法の説明図である。
図９（ａ）は、Ｄ席画面又はＰ席画面に表示される画像の座標値の説明図である。図９（ａ）に示すように、画像の左上を原点（０、０）とし、右下を（８００、４８０）として定める。
図９（ｂ）は、前記画像から、黒帯が表示されている箇所の検出を、所定の領域毎に行う説明図である。図９（ｂ）に示すように、縦及び横に１０ドット毎、即ち１００ドット分の領域毎に輝度を平均化して検出し、この平均化された輝度値と、所定の閾値と比較する。所定の閾値よりも輝度が低い場合には、その検出された領域に黒帯が表示されているものとして判定する。所定の閾値よりも輝度が高い場合には、その検出された領域には黒帯が表示されていないものとして判定する。
【００４０】
尚、黒帯の検出方法はこのようなものに限られない。例えば、標準画モードでテレビ画像が選択された場合には、予め黒帯が表示される箇所が固定されているため、この画像上の位置情報を、不揮発性メモリなどに記憶させておいてもよい。
【００４１】
このように、画質調整手段３１、３２は、第１及び第２の画像の少なくとも一方の画像が黒帯状に表示される黒帯領域を含む画像である場合に、黒帯領域の輝度を上げる。黒帯領域の輝度が上がるので、一方の画像が黒帯領域を含む画像の場合であっても他方の画像への視認性の低下を抑制することができる。
【００４２】
また、黒帯検出回路２８０は、第１及び第２の画像の少なくとも一方の画像から黒帯領域を検出する。この構成により、輝度調整の対象となる黒帯領域を検出することができる。
【００４３】
また、黒帯検出回路２８０は、前記第１又は第２の画像を供給する供給源及び第１又は第２の画像の表示モードに応じて黒帯領域を検出する。この構成により、例えば、ＤＶＤの画像のように黒帯が表示され得る画像を供給する供給源に変更された場合に、その画像から黒帯領域を検出する。また、黒帯が表示され得る表示モードが選択された場合に、その画像から黒帯領域を検出する。
【００４４】
以上本発明の好ましい実施例について詳述したが、本発明は係る特定の実施例に限定されるものではなく、特許請求の範囲に記載された本発明の要旨の範囲内において、種々の変形、変更が可能である。
【００４５】
第１及び第２の画像の少なくとも一方の画像が、黒帯状に表示される黒帯領域を含む画像であるか否かを判断するには、例えば、操作パネル１５０による各画面に対する表示内容の操作選択や、映像選択回路４０の選択状態あるいは描画回路２０で描画される描画内容が第１の画面及び第２の画面に対するものかをプロセッサ１１が制御することで判断することができる。
【００４６】
上記実施形態では、黒帯領域についてのみ輝度を上げるように構成したが、このような構成に限らず、例えば、黒帯領域を含む画像全体の輝度を上げるように構成してもよい。
【００４７】
上記実施形態では、Ｄ席画面にナビゲーション画像が表示され、Ｐ席画面にＤＶＤなどが表示されている場合に黒帯の輝度を調整するように構成したが、このような構成に限られず、例えば、Ｐ席画面に表示された黒帯領域の輝度を、Ｄ席画面の輝度に応じた輝度に上げるように構成してもよい。このように構成することにより、Ｄ席画面に表示される画像の視認性の低下を抑制することができる。
【００４８】
上記実施形態では、輝度調整回路３０３Ａにより、黒帯の輝度を上げるように構成したが、このような方法に限定されず、例えばコントラスト調整回路３０２Ａや、色調調整回路３０４Ａ、ガンマ値調整回路３０５Ａなどにより黒帯の輝度を上げるように調整してもよい。
【００４９】
上記実施形態では、車載用表示装置につてい説明したが、このような構成に限定されず、例えば、マルチビュー機能を有する家庭用表示装置であってもよい。例えば、一方の画面に標準画モードが選択されたテレビ画像、他方の画面にＤＶＤ画像が表示される場合には、それぞれに画像に表示されている黒帯領域の輝度を上げるように構成してもよい。
【図面の簡単な説明】
【００５０】
【図１】本発明の一実施形態に係る車両用マルチビュー表示装置の基本構成を説明するための図である。
【図２】車両に搭載された車載用表示装置を示す図である。
【図３】表示部の構造を示す断面図である。
【図４】車載用表示装置の機能ブロック図である。
【図５】画像処理回路の機能ブロック図である。
【図６】表示制御部による液晶パネルのＤ席画面及びＰ席画面への画像の表示例についての図である。
【図７】表示制御部による映り込み低減処理の一例を示したフローチャート図である。
【図８】黒帯の輝度が調整された後のＤ席画面及びＰ席画面への画像の表示例を示した図である。
【図９】黒帯が表示される箇所を検出する方法の説明図である。
【符号の説明】
【００５１】
１０                  表示制御部（表示制御手段）
１１                  プロセッサ
１２                  ＲＡＭ
１３                  ＲＯＭ
２０                  描画回路
３０                  画像処理回路（画質調整手段）
３１                  映像信号画質調整部
３２                  描画画像画質調整部
４０                  映像選択回路
５０                  ＨＤＤ
８０                  音声処理部
１００                表示部
１１０                液晶パネル
１２０                バックライト
１３０                タッチパネル
１５０                操作パネル
２５１                ＤＶＤ再生部
２５２                ＴＶ受信部
３０１Ａ、３０１Ｂ    Ａ／Ｄ変換回路
３０２Ａ、３０２Ｂ    コントラスト調整回路
３０３Ａ、３０３Ｂ    輝度調整回路
３０４Ａ、３０４Ｂ    色調調整回路
３０５Ａ、３０５Ｂ    ガンマ値調整回路
３０６Ａ、３０６Ｂ    拡縮回路
３６０                ＴＦＴタイミング制御回路
３８０                黒帯検出回路
ＤＳ                  運転席
ＡＳ                  助手席
【図１】
2008040051.tif 000003
【図２】
2008040051.tif 000004
【図３】
2008040051.tif 000005
【図４】
2008040051.tif 000006
【図５】
2008040051.tif 000007
【図６】
2008040051.tif 000008
【図７】
2008040051.tif 000009
【図８】
2008040051.tif 000010
【図９】
2008040051.tif 000011